(57)【要約】【課題】リモコン電波と赤外線リモコン信号を併用し、赤外線リモコン信号の伝送経路を著しく短縮してその伝送経路に遮蔽物が存在しないようにし、赤外線リモコン操作器２と被制御機器３を対向配置させずに良好な制御を行うリモコン装置を提供する。【解決手段】赤外線リモコン操作器２を用いて被制御機器３を制御するリモコン装置において、赤外線リモコン操作器３を装着した状態で使用され、赤外線リモコン操作器２からの赤外線リモコン信号を受信してリモコン電波に変換して送信する赤外線−電波変換リモコンアダプター１と、被制御機器３の赤外線受光部４に対向配置した状態で使用され、赤外線−電波変換リモコンアダプター１からのリモコン電波を受信して赤外線リモコン信号に変換して出力する電波−赤外線変換リモコンアダプター５を備える。【選択図】図１
2008219783.tif 000002
【特許請求の範囲】
【請求項１】
赤外線リモコン操作器を用いて被制御機器を遠隔制御するリモコン装置において、前記赤外線リモコン操作器を装着した状態で使用され、前記赤外線リモコン操作器からの赤外線リモコン信号を受信してリモコン電波に変換して送信する赤外線−電波変換リモコンアダプターと、前記被制御機器の赤外線受光部に対向配置した状態で使用され、前記赤外線−電波変換リモコンアダプターからのリモコン電波を受信して赤外線リモコン信号に変換して出力する電波−赤外線変換リモコンアダプターとを備えることを特徴とするリモコン装置。
【請求項２】
前記赤外線−電波変換リモコンアダプターは、赤外線リモコン信号を受信する赤外線受信部と、受信した赤外線リモコン信号を復調して制御信号を再生する制御信号再生部と、再生した制御信号により無線周波数信号を変調してその被変調信号を無線送信する無線信号送信部とを備えていることを特徴とする請求項１に記載のリモコン装置。
【請求項３】
前記赤外線−電波変換リモコンアダプターは、前記赤外線リモコンを装着部に装着した際に、前記装着部と前記赤外線リモコンとの間に形成される隙間部分の一部または全部を埋合わせる詰合せ部材を充填したものであることを特徴とする請求項１または２に記載のリモコン装置。
【請求項４】
前記赤外線−電波変換リモコンアダプターは、外部露出面の一部に太陽電池パネルが貼着され、当該赤外線−電波変換リモコンアダプターの動作電力がこの太陽電池パネルの光電電圧及び内蔵薄型電池の出力電圧により賄われることを特徴とする請求項１乃至３のいずれかに記載のリモコン装置。
【請求項５】
前記電波−赤外線変換リモコンアダプターは、前記赤外線−電波変換リモコンアダプターから無線送信された無線信号を受信する無線信号受信部と、受信した無線信号を復調して制御信号を再生する制御信号再生部と、再生した制御信号により赤外線信号を変調して被変調信号を赤外線リモコン信号として送信する赤外線送信部とを備えていることを特徴とする請求項１乃至４のいずれかに記載のリモコン装置。
【請求項６】
前記電波−赤外線変換リモコンアダプターは、前記無線信号受信部と前記赤外線送信部とが相対する側面領域に配置され、前記赤外線送信部を配置した側面領域に接着部が設けられ、当該電波−赤外線変換リモコンアダプターを前記被制御機器の赤外線受光部に対向配置する際に、この接着部を用いて当該電波−赤外線変換リモコンアダプターと前記被制御機器の赤外線受光部とを位置合わせ及び固定することを特徴とする請求項１乃至５のいずれかに記載のリモコン装置。
【請求項７】
前記電波−赤外線変換リモコンアダプターは、外部露出面の一部に太陽電池パネルが貼着され、当該赤外線−電波変換リモコンアダプターの動作電力がこの太陽電池パネルの光電電圧及び内蔵薄型電池の出力電圧により賄われることを特徴とする請求項１乃至６のいずれかに記載のリモコン装置。
【発明の詳細な説明】
【技術分野】
【０００１】
本発明は、リモコン装置に係り、特に、赤外線リモコン操作器から出力された赤外線リモコン信号をリモコン電波に変換する赤外線−電波変換リモコンアダプターとそのリモコン電波を赤外線リモコン信号に変換する電波−赤外線変換リモコンアダプターとを用いて被制御装置を制御するリモコン装置に関する。
【背景技術】
【０００２】
現在、家庭内にある電化製品や映像機器等の被制御装置を制御するために使用されているリモコン装置は、赤外線（ＩＲ）リモコン信号を用いた赤外線リモコン装置が大半を占めており、特に、空調装置（エアコン）、テレビジョン（ＴＶ）、ビデオテープレコーダ（ＶＴＲ）、デジタルビデオディスク（ＤＶＤ）レコーダ、ハードディスク（ＨＤＤ）レコーダにおいては、殆どの機器が赤外線リモコンによって制御される赤外線リモコン装置が用いられている。
【０００３】
ところで、赤外線リモコン操作器を用いた赤外線リモコン装置は、比較的簡易な構成手段によって被制御装置を制御することができるものの、以下に述べるような不具合を有していることが指摘されている。
【０００４】
その第１は、赤外線リモコン操作器と被制御機器とが近接していても、赤外線リモコン操作器と被制御機器との間に赤外線リモコン信号を遮断するような遮蔽物が存在するとき、赤外線リモコン操作器から送信された赤外線リモコン信号が被制御機器の受光部に到達せず、正常な状態で所定の制御を行うことができない場合がある。
【０００５】
その第２は、赤外線リモコン操作器から送信される赤外線リモコン信号は指向性を有するため、赤外線リモコン操作器、特にその赤外線発生部と、被制御機器、特にその受光部とを向かい合わせにした状態にした後でリモコン操作を行わないと、赤外線リモコン操作器から送信された赤外線リモコン信号が被制御機器の受光部に到達せず、正常な状態で所定の制御を行うことができない場合がある。
【０００６】
その第３は、赤外線リモコン操作器の中には他の機器への影響を最小限にするために送信される赤外線リモコン信号の到達距離が短いものがあり、そのため赤外線リモコン操作器を被制御機器にかなり近づけた状態でリモコン操作を行わないと、前述の場合と同様に赤外線リモコン操作器から送信された赤外線リモコン信号が被制御機器の受光部に正規のレベルで到達せず、正常な状態で所定の制御を行うことができない場合がある。
【０００７】
このような赤外線リモコン装置が保有する不具合を解消するために、リモコン操作器から被制御機器に送信されるリモコン信号の伝送系路に無線／赤外線変換アダプターを配置し、無線リモコン操作器から無線／赤外線変換アダプターに伝送されるリモコン信号をリモコン電波とし、無線／赤外線変換アダプターから被制御機器まで伝送されるリモコン信号を赤外線リモコン信号とすることにより、無線リモコン操作器の存在位置が被制御機器の至近距離でなくても制御できるようにしたリモコン装置が既に開発されており、その一例として特開２００４−３１９９９号公報に開示のものがある。
【特許文献１】特開２００４−３１９９９号公報
【発明の開示】
【発明が解決しようとする課題】
【０００８】
前記特開２００４−３１９９９号公報に開示されたリモコン装置は、無線／赤外線変換アダプターを用い、無線リモコン操作器から無線／赤外線変換アダプターまでのリモコン信号の伝送はリモコン電波を用いて行い、無線／赤外線変換アダプターから被制御機器までのリモコン信号の伝送は赤外線リモコン信号を用いて行うことにより、無線リモコン操作器を被制御機器の至近距離に配置した状態で使用しなくても所要のリモコン操作を行うことが可能になるものである。
【０００９】
しかしながら、前記特開２００４−３１９９９号公報に開示のリモコン装置においても、無線／赤外線変換アダプターと被制御機器との間に赤外線リモコン信号を遮断する遮蔽物があったときは、前述のように、無線／赤外線変換アダプターから送信された赤外線リモコン信号が被制御機器の受光部に到達せず、正常な状態で所定の制御を行うことができない場合があり、このようなときには、無線／赤外線変換アダプターを用いたとしても前述のような不具合の根本的な解決策にはならない。
【００１０】
本発明は、このような技術的背景に鑑みてなされたもので、その目的は、リモコン電波と赤外線リモコン信号との併用時に、被制御機器を制御する赤外線リモコン信号の伝送経路を著しく短縮してその伝送経路に遮蔽物が存在しないようにし、赤外線リモコン操作器と被制御機器とを対向配置させなくても良好な制御を行えるリモコン装置を提供することにある。
【課題を解決するための手段】
【００１１】
前記目的を達成するために、本発明によるリモコン装置は、赤外線リモコン操作器を用いて被制御機器を遠隔制御するものであって、前記赤外線リモコン操作器を装着した状態で使用され、前記赤外線リモコン操作器からの赤外線リモコン信号を受信してリモコン電波に変換して送信する赤外線−電波変換リモコンアダプターと、前記被制御機器の赤外線受光部に対向配置した状態で使用され、前記赤外線−電波変換リモコンアダプターからのリモコン電波を受信して赤外線リモコン信号に変換して出力する電波−赤外線変換リモコンアダプターとを備える主たる手段を具備する。
【００１２】
この場合、前記主たる手段においては、赤外線−電波変換リモコンアダプターは、赤外線リモコン信号を受信する赤外線受信部と、受信した赤外線リモコン信号を復調して制御信号を再生する制御信号再生部と、再生した制御信号により無線周波数信号を変調してその被変調信号を無線送信する無線信号送信部とを備えている手段を具備する。
【００１３】
また、赤外線−電波変換リモコンアダプターは、前記赤外線リモコンを装着部に装着した際に、前記装着部と前記赤外線リモコンとの間に形成される隙間部分の一部または全部を埋合わせる詰合せ部材を充填したものである手段を具備する。
【００１４】
さらに、赤外線−電波変換リモコンアダプターは、外部露出面の一部に太陽電池パネルが貼着され、当該赤外線−電波変換リモコンアダプターの動作電力がこの太陽電池パネルの光電電圧及び内蔵薄型電池の出力電圧により賄われる手段を具備する。
【００１５】
また、前記主たる手段においては、電波−赤外線変換リモコンアダプターは、前記赤外線−電波変換リモコンアダプターから無線送信された無線信号を受信する無線信号受信部と、受信した無線信号を復調して制御信号を再生する制御信号再生部と、再生した制御信号により赤外線信号を変調して被変調信号を赤外線リモコン信号として送信する赤外線送信部とを備えている手段を具備する。
【００１６】
さらに、電波−赤外線変換リモコンアダプターは、前記無線信号受信部と前記赤外線送信部とが相対する側面領域に配置され、前記赤外線送信部を配置した側面領域に接着部が設けられ、当該電波−赤外線変換リモコンアダプターを前記被制御機器の赤外線受光部に対向配置する際に、この接着部を用いて当該電波−赤外線変換リモコンアダプターと前記被制御機器の赤外線受光部とを位置合わせ及び固定する手段を具備する。
【００１７】
この他に、電波−赤外線変換リモコンアダプターは、外部露出面の一部に太陽電池パネルが貼着され、当該赤外線−電波変換リモコンアダプターの動作電力がこの太陽電池パネルの光電電圧及び内蔵薄型電池の出力電圧により賄われる手段を備える。
【発明の効果】
【００１８】
以上のように、請求項１に記載のリモコン装置によれば、赤外線リモコン操作器を用いて被制御機器を遠隔制御する際に、赤外線リモコン操作器を装着した状態で使用される赤外線リモコン操作器からの赤外線リモコン信号を受信してリモコン電波に変換して送信する赤外線−電波変換リモコンアダプターと、被制御機器の赤外線受光部に対向配置した状態で使用される赤外線−電波変換リモコンアダプターからのリモコン電波を受信して赤外線リモコン信号に変換して出力する電波−赤外線変換リモコンアダプターとを用いたことにより、赤外線リモコン信号の伝送経路が著しく短縮され、それにより被制御機器に近接配置される赤外線リモコン信号を遮蔽する遮蔽物が存在していても、赤外線リモコン信号の送信方向に気遣いすることなしにリモコン操作を行うことができるという効果がある。
【００１９】
また、請求項３に記載のリモコン装置によれば、赤外線リモコン操作器と、その赤外線リモコン操作器が装着される赤外線−電波変換リモコンアダプターとの装着領域のサイズが合わない場合でも、赤外線−電波変換リモコンアダプターにおける赤外線リモコン操作器の装着領域内に詰合せ部材を充填することにより多種の赤外線リモコン操作器を装着した状態で使用することが可能になり、赤外線リモコン操作器の携帯性を損なうことなくその適用範囲を拡げることができる。
【発明を実施するための最良の形態】
【００２０】
以下、図面を参照して本発明の実施の形態について詳細に説明する。
【００２１】
図１は、本発明に係るリモコン装置の使用状態を説明する説明図であって、赤外線−電波変換リモコンアダプター１に赤外線リモコン操作器２が装着される状態、及び、被制御機器であるテレビジョンモニタ３の赤外線受光部４に電波−赤外線変換リモコンアダプター５が取着される状態をそれぞれ示すものである。
【００２２】
この場合、赤外線−電波変換リモコンアダプター１は、その装着部１Ａに赤外線リモコン操作器２の頭部２Ａが嵌め込まれることにより赤外線リモコン操作器２に装着され、また、電波−赤外線変換リモコンアダプター５は、後述するように、図１に図示の裏面部分がテレビジョンモニタ３の赤外線受光部４を覆うように付着されることによりテレビジョンモニタ３に装着される。また、赤外線−電波変換リモコンアダプター１及び電波−赤外線変換リモコンアダプター５は、それぞれ、その外側表面に太陽電池パネル１Ｂ、５Ａが埋め込まれている。
【００２３】
次に、図２は、赤外線−電波変換リモコンアダプター１の内部構成を示すブロック図である。
【００２４】
図２に図示されるように、赤外線−電波変換リモコンアダプター１は、赤外線受光素子６Ａを備えた赤外線受光部６と、制御信号復調部７と、制御信号変換部８と、無線信号変調部９と、無線信号送信部１０と、送信アンテナ１０Ａとからなっている。そして、赤外線受光部６は、赤外線−電波変換リモコンアダプター１に赤外線リモコン操作器２が装着されたときに、赤外線リモコン操作器２から送信された赤外線信号が赤外線受光素子６Ａで受光され、受光された赤外線信号が電気信号に変換されて制御信号復調部７に供給される。制御信号復調部７は、供給された電気信号を復調して制御信号を再生し、再生した制御信号を制御信号変換部８に供給する。制御信号変換部８は、供給された制御信号を無線伝送用信号に変換し、その無線伝送用信号を無線信号変調部９に供給する。無線信号変調部９は、供給された無線伝送用信号により無線周波信号を変調し、変調した無線周波信号をリモコン電波として送信アンテナ１０Ａから送信する。この場合、赤外線−電波変換リモコンアダプター１は、駆動電源として太陽電池パネル１Ｂから得られた電力及び内蔵された薄型電池（図示なし）の電力が併用される。
【００２５】
次いで、図３は、電波−赤外線変換リモコンアダプター５の内部構成を示すブロック図である。
【００２６】
図３に図示されるように、電波−赤外線変換リモコンアダプター５は、受信アンテナ１１Ａと、無線信号受信部１１と、制御信号復調部１２と、制御信号変換部１３と、赤外線変調部１４と、赤外線信号送信部１５と、赤外線投射素子１５Ａとからなっている。そして、無線信号受信部１１は、赤外線−電波変換リモコンアダプター１から送信されたリモコン電波が受信アンテナ１１Ａをにより受信され、その受信信号が制御信号復調部１２に供給される。制御信号復調部１２は、供給された受信信号を復調して制御信号を再生し、再生した制御信号を制御信号変換部１３に供給する。制御信号変換部１３は、供給された制御信号を赤外線伝送用信号に変換し、その赤外線伝送用信号を赤外線変調部１４に供給する。赤外線変調部１４は、供給された赤外線伝送用信号により赤外線を変調し、変調した赤外線信号を赤外線信号送信部１５に供給する。赤外線信号送信部１５は、供給された赤外線信号を赤外線投射素子１５を通して赤外線リモコン信号がテレビジョンモニタ３の赤外線受光部４に投射される。この場合、電波−赤外線変換リモコンアダプター５は、駆動電源として太陽電池パネル５Ｂから得られた電力及び内蔵された薄型電池（図示なし）の電力が併用される。
【００２７】
なお、図１に図示したリモコン装置においては、全体の構成及びその動作を判りやすくするために、赤外線−電波変換リモコンアダプター１と赤外線リモコン操作器２とが離間配置され、電波−赤外線変換リモコンアダプター５とテレビジョンモニタ３の赤外線受光部４とが離間配置された状態で示されているが、このリモコン装置の使用時には、図４に図示されるように、赤外線−電波変換リモコンアダプター１の装着部１Ａに赤外線リモコン操作器２の頭部２Ａが嵌め込まれ、赤外線リモコン操作器２と赤外線−電波変換リモコンアダプター１とを一体にした状態で使用されるものであり、また、図５に図示されるように、電波−赤外線変換リモコンアダプター５の裏面部分がテレビジョンモニタ３の赤外線受光部４を覆うように付着した状態で使用されるものである。なお、図４及び図５において、図１に図示された構成要素と同じ構成要素については、同じ符号を付しており、それらの構成要素の説明は省略する。
【００２８】
このような構成にすれば、電波−赤外線変換リモコンアダプター５から投射される赤外線リモコン信号は、最短の伝送距離を経て赤外線受光部４に到達することになり、赤外線リモコン信号が遮蔽物で遮蔽されることなく赤外線受光部４に投射される。
【００２９】
ところで、赤外線−電波変換リモコンアダプター１から電波−赤外線変換リモコンアダプター５に伝送させるリモコン電波としては、その一例として免許取得が不要な搬送周波数が２．４ＧＨｚ帯の無線信号を使用することができる。そして、２．４ＧＨｚ帯の無線信号としては、例えばＢｌｕｅｔｏｏｔｈ（ブルートゥース）と呼ばれている電波を利用するものである。Ｂｌｕｅｔｏｏｔｈは、近距離無線伝送方式に係るものであり、その電波の伝送距離はおよそ１０ｍ程度であって、低消費電力、低価格、単純構造、相互互換の確保等の特徴を備えるものである。
【００３０】
また、Ｂｌｕｅｔｏｏｔｈから派生した通信規格であるＷｉｂｒｅｅ（ワイブリー）も別の伝送手段として利用することができる。このＷｉｂｒｅｅは、Ｂｌｕｅｔｏｏｔｈと同じ２．４ＧＨｚ帯の周波数を利用しており、そのハードウエア構成もＢｌｕｅｔｏｏｔｈと似ているが、より少ない消費電力で、小さなデータの送信を行うことができるものである。
【００３１】
以上のように、本発明に係るリモコン装置は、前述のような構成にしたことにより、赤外線リモコン操作器２をテレビジョンモニタ３の赤外線受光部４に近接対向配置させることなしに、テレビジョンモニタ３に対する所要の制御を行うことできる。そして、この場合に、赤外線リモコン操作器２とテレビジョンモニタ３との間に赤外線リモコン信号を遮蔽するような遮蔽物が存在したとしても、その遮蔽物の影響を受けずにテレビジョンモニタ３に対する所要の制御を行うことできる。
【００３２】
なお、図１に図示の例においては、赤外線−電波変換リモコンアダプター１及び電波−赤外線変換リモコンアダプター５を用いることにより、赤外線リモコン操作器２の操作によりテレビジョンモニタ３に対して所要の制御を行うことができるものであるが、本発明によるリモコン装置が対象としている被制御機器としては、テレビジョンモニタ３に限られるものでなく、赤外線リモコン操作器を有する他の家電製品を対象とするものであってもよく、被制御機器の制御に赤外線リモコン操作器を用いて行うものであれば、家電製品以外の機器にも同様に適用することができる。
【００３３】
次に、図６乃至図８は、本発明の赤外線−電波変換リモコンアダプター１に赤外線リモコン操作器２を装着する際に、汎用の赤外線リモコン操作器２も装着できる赤外線−電波変換リモコンアダプター１の各例を示す構成図である。
【００３４】
図６、図７、図８において、１６は風船状部材、１７は両面テープ、１８はバネ部材であり、その他、図１に図示された構成要素と同じ構成要素については同じ符号を付け、これらの構成要素の説明を省略する。
【００３５】
一般に、テレビジョンモニタ３を制御するための赤外線リモコン操作器２は、それぞれのメーカ毎にその形状やサイズが異なっているため、これらの赤外線リモコン操作器２に適応可能な赤外線−電波変換リモコンアダプター１を得たい場合、赤外線リモコン操作器２毎にその装着部１Ａの形状やサイズを異ならせる必要があり、赤外線−電波変換リモコンアダプター１の汎用性が著しく低下してしまうことになる。
【００３６】
図６、図７、図８に図示の各例は、赤外線−電波変換リモコンアダプター１の汎用性を高めるため、これらの赤外線リモコン操作器２の多くのものに適用可能な赤外線−電波変換リモコンアダプター１を得ることができるものであって、その中の図６は、赤外線−電波変換リモコンアダプター１の装着部１Ａの両側面にそれぞれ風船状部材１６を取り付けたもので、赤外線−電波変換リモコンアダプター１の装着部１Ａに赤外線リモコン操作器２の頭部２Ａを嵌め込んだとき、装着部１Ａと頭部２との間に隙間が形成されている場合、風船状部材１６に空気を送り込んで膨らませ、隙間を埋めるようにするものである。
【００３７】
また、その中の図７は、赤外線−電波変換リモコンアダプター１の装着部１Ａに赤外線リモコン操作器２の頭部２Ａを嵌め込んだとき、装着部１Ａと頭部２との間に形成される隙間が比較的狭い場合に適用されるもので、２つの風船状部材１６を取り付ける代わりに２枚の両面テープ１７を配置し、これら両面テープ１７によって装着部１Ａと頭部２とを接着させ、それらの隙間を埋めるようにするものである。
【００３８】
さらに、その中の図８は、赤外線−電波変換リモコンアダプター１の装着部１Ａに赤外線リモコン操作器２の頭部２Ａを嵌め込んだとき、装着部１Ａと頭部２との間に形成される隙間が比較的広い場合に適用されるもので、２つの風船状部材１６を取り付ける代わりに一対のバネ部材１８を取り付け、装着部１Ａと頭部２との間に形成される隙間に配置されるバネ部材１７の弾圧力によって赤外線リモコン操作器２の頭部２Ａを所定位置に抑え込むようにするものである。
【００３９】
この場合、装着部１Ａと頭部２との間に形成される隙間に配置される風船状部材１６、両面テープ１７、バネ部材１８は、その隙間幅に対応した充填部材の一例を示すものであるが、充填部材としてこれらの部材に固定されるものでなく、これらの部材と同等の充填機能を果たすものであれば、類似した他の部材を用いるようにしてもよい。
【００４０】
次いで、図９（ａ）、（ｂ）は、電波−赤外線変換リモコンアダプター５の外形状を示す正面図及び背面図であって、（ａ）は正面図であり、（ｂ）は背面図である。
【００４１】
図９（ａ）、（ｂ）において、１９はリモコン電波受信面、２０は赤外線リモコン信号送信面、２１は接着部であり、その他、図１に図示された構成要素と同じ構成要素については同じ符号を付け、これらの構成要素の説明は省略する。
【００４２】
図９（ａ）、（ｂ）に示すように、電波−赤外線変換リモコンアダプター５は、テレビジョンモニタ３に取り付けられる面が背面であり、テレビジョンモニタ３に取り付けられる面と反対側の面が正面である。そして、正面には略中央部分にリモコン電波受信面１９が形成され、背面にはテレビジョンモニタ３に取り付けるための一対の接着部２１が両サイドに設けられ、背面の略中央部分に赤外線リモコン信号送信面２０が形成されている。電波−赤外線変換リモコンアダプター５は、一対の接着部２１によりテレビジョンモニタ３の前面側に取り付けられたとき、テレビジョンモニタ３の赤外線受光部４は電波−赤外線変換リモコンアダプター５で覆われ、その際に赤外線リモコン信号送信面２０と赤外線受光部４とは対向した位置になる。そして、電波−赤外線変換リモコンアダプター５が赤外線−電波変換リモコンアダプター１が送信したリモコン電波を受信すると、その受信に応答して電波−赤外線変換リモコンアダプター５から赤外線リモコン信号をテレビジョンモニタ３の赤外線受光部４に送信し、それによりテレビジョンモニタ３における所定の制御が行われるものである。
【００４３】
本例においては、電波−赤外線変換リモコンアダプター５がテレビジョンモニタ３の赤外線受光部４と対向した位置に取り付けられるため、電波−赤外線変換リモコンアダプター５から出力された赤外線リモコン信号がそのまま赤外線受光部４に伝送されるため、良好な赤外線リモコン信号の伝送ができ、さらに、電波−赤外線変換リモコンアダプター５のテレビジョンモニタ３の前面への取り付けは、接着部２１を介して行っているため、比較的簡単に電波−赤外線変換リモコンアダプター５をテレビジョンモニタ３から剥離できるので、電波−赤外線変換リモコンアダプター５の設置及び取外しを簡単に行うことができる。
【００４４】
なお、電波−赤外線変換リモコンアダプター５をテレビジョンモニタ３の前面に取り付けて使用しない場合は、電波−赤外線変換リモコンアダプター５をテレビジョンモニタ３の赤外線受光部４の近傍位置に置いて使用することも可能である。
【００４５】
以上のように、本発明によるリモコン装置は、赤外線リモコン操作器２が装着される赤外線−電波変換リモコンアダプター１とテレビジョンモニタ３の赤外線受光部４に取り付けて使用する電波−赤外線変換リモコンアダプター５とを用いたことにより、赤外線リモコン操作器２の操作によってテレビジョンモニタ３の制御を行うことができるもので、操作される赤外線リモコン操作器２の操作位置に大きな制限がないことから、赤外線リモコン信号を遮蔽する遮蔽物の存在を気にしたり、テレビジョンモニタ３に対向した位置であるか否かを気にすることなく、いつでもテレビジョンモニタ３を制御することができるものである。
【００４６】
この場合、赤外線リモコン操作器２で制御操作できる被制御機器は、テレビジョンモニタ３に限られることなく、赤外線リモコン操作器２の使用によって制御できる機器であれば、種々の機器にも同様の制御をすることができる。
【００４７】
なお、本発明のリモコン装置は、リモコン装置の使用時に、赤外線リモコン操作器２の頭部２Ａに赤外線−電波変換リモコンアダプター１を嵌め込んで使用することから、赤外線リモコン操作器２の携帯性が損なわれることなしにリモコン操作が可能になる。また、本発明に用いられる赤外線−電波変換リモコンアダプター１及び電波−赤外線変換リモコンアダプター５は、太陽電池パネル１Ｂ、５Ａの光電出力と薄型電池の駆動電力とを併用しているので、全体的に消費電力の低減と小型化が可能になる。
【図面の簡単な説明】
【００４８】
【図１】本発明に係るリモコン装置の使用状態を説明する説明図である。
【図２】赤外線−電波変換リモコンアダプターの内部構成を示すブロック図である。
【図３】電波−赤外線変換リモコンアダプターの内部構成を示すブロック図である。
【図４】赤外線−電波変換リモコンアダプターの装着部に赤外線リモコン操作器の頭部が嵌め込まれたときの構成図である。
【図５】電波−赤外線変換リモコンアダプターの裏面部分がテレビジョンモニタの赤外線受光部を覆うように付着させたときの構成図である。
【図６】赤外線−電波変換リモコンアダプターに赤外線リモコン操作器を装着する際に、汎用の赤外線リモコン操作器も装着できる赤外線−電波変換リモコンアダプターの第１例を示す構成図である。
【図７】赤外線−電波変換リモコンアダプターに赤外線リモコン操作器を装着する際に、汎用の赤外線リモコン操作器も装着できる赤外線−電波変換リモコンアダプターの第２例を示す構成図である。
【図８】赤外線−電波変換リモコンアダプターに赤外線リモコン操作器を装着する際に、汎用の赤外線リモコン操作器も装着できる赤外線−電波変換リモコンアダプターの第３例を示す構成図である。
【図９】電波−赤外線変換リモコンアダプターの外形状を示す正面図及び背面図である。
【符号の説明】
【００４９】
１  赤外線−電波変換リモコンアダプター
１Ａ  装着部
１Ｂ  太陽電池パネル
２  赤外線リモコン操作器
２Ａ  頭部
３  テレビジョンモニタ
４  赤外線受光部
５  電波−赤外線変換リモコンアダプター
５Ａ  太陽電池パネル
６  赤外線受光部
６Ａ  赤外線受光素子
７  制御信号復調部
８  制御信号変換部
９  無線信号変調部
１０  無線信号送信部
１０Ａ  送信アンテナ
１１  無線信号受信部
１１Ａ  受信アンテナ
１２  制御信号復調部
１３  制御信号変換部
１４  赤外線変調部
１５  赤外線信号送信部
１５Ａ  赤外線投射素子
１６  風船状部材
１７  両面テープ
１８  バネ部材
１９  リモコン電波受信面
２０  赤外線リモコン信号送信面
２１  接着部
【図１】
2008219783.tif 000003
【図２】
2008219783.tif 000004
【図３】
2008219783.tif 000005
【図４】
2008219783.tif 000006
【図５】
2008219783.tif 000007
【図６】
2008219783.tif 000008
【図７】
2008219783.tif 000009
【図８】
2008219783.tif 000010
【図９】
2008219783.tif 000011